(57)【要約】【課題】高周波信号に対するグランドとしての効果を高めることができるコネクタを提供すること。【解決手段】相手コネクタ３Ａに嵌合して接続されるコネクタ２Ａにおいて、行方向（Ｘ１−Ｘ２方向）に延びるグランド板４０Ａと、行方向（Ｘ１−Ｘ２方向）に並び相手コネクタ２Ａが有する複数の信号コンタクト２４Ａ、２６Ａの各々とそれぞれ接触可能な複数の信号コンタクト１４Ａ、１６Ａと、行方向（Ｘ１−Ｘ２方向）に並び相手コネクタ２Ａが有する複数のグランドコンタクト２８Ａの各々とそれぞれ接触可能な複数のグランドコンタクト１８Ａとを備える。グランド板４０Ａと複数のグランドコンタクト２８Ａとは、一の金属板を加工して一体に形成される。グランド板４０Ａの相手コネクタ３Ａ側と、複数のグランドコンタクト１８Ａの各々の相手コネクタ側３Ａとが接続され導通される。【選択図】図７
2010198966.tif 000002
【特許請求の範囲】
【請求項１】
相手コネクタに嵌合して接続されるコネクタにおいて、
行方向に延びるグランド板と、
行方向に並び前記相手コネクタが有する複数の信号コンタクトの各々とそれぞれ接触可能な複数の信号コンタクトと、
行方向に並び前記相手コネクタが有する複数のグランドコンタクトの各々とそれぞれ接触可能な複数のグランドコンタクトとを備え、
前記グランド板と前記複数のグランドコンタクトとは、一の金属板を加工して一体に形成され、
前記グランド板の前記相手コネクタ側と、前記複数のグランドコンタクトの各々の前記相手コネクタ側とが接続され導通されるコネクタ。
【請求項２】
前記各グランドコンタクトは、前記相手コネクタの対応するグランドコンタクトと面接触可能な接点部を備える請求項１項記載のコネクタ。
【請求項３】
前記各グランドコンタクトの延在方向両端が、前記グランド板と接続され導通される請求項１又は２記載のコネクタ。
【請求項４】
前記各グランドコンタクトは、金属板の一部をＵ字状に折り返して形成される請求項１〜３いずれか一項記載のコネクタ。
【請求項５】
前記各グランドコンタクトは、金属板の一部を帯状に切り起こして形成される請求項１〜３いずれか一項記載のコネクタ。
【発明の詳細な説明】
【技術分野】
【０００１】
本発明は、相手コネクタに嵌合して接続されるコネクタに関し、特に平衡伝送用コネクタに関する。
【背景技術】
【０００２】
データの伝送の方式としては、データ毎に一本の電線を使用する通常の伝送方式と、データ毎に対をなす二本の電線を使用して、伝送すべき＋信号とこの＋信号とは大きさが等しく逆向きの−信号とを同時に伝送する平衡伝送方式がある。平衡伝送方式は、通常の伝送方式に比べてノイズの影響を受けにくいという利点を有しており、信号を高速で伝送する分野において多く採用されている。
【０００３】
図１は、従来の平衡伝送用コネクタ装置を概略的に示す斜視図である。図２は、プラグコネクタ２とジャックコネクタ３との対向する面の構造を概略的に示す図である。平衡伝送用コネクタ装置１は、プラグコネクタ２とジャックコネクタ３とよりなる。プラグコネクタ２は、バックプレーン（外部基板）４に実装してあり、ジャックコネクタ３は、ドータボード（外部基板）５の端に実装してある。プラグコネクタ２とジャックコネクタ３とが接続されて、コネクタ装置１によってバックプレーン４とドータボード５とが電気的に接続される（例えば、特許文献１参照）。
【０００４】
プラグコネクタ２は、図１、図２に示すように、複数の信号コンタクト対１２と、信号コンタクト対１２毎に設けられる逆Ｌ字状の複数のグランドコンタクト１８と、複数の信号コンタクト対１２及び複数のグランドコンタクト１８を支持するＵ字状の絶縁性ハウジング６とを備える。複数の信号コンタクト対１２は、行方向（Ｘ１−Ｘ２方向）及び列方向（Ｙ１−Ｙ２方向）に並設されている。各信号コンタクト対１２は、正負対称波形の信号を伝えるための信号コンタクト１４、１６から構成され、その信号コンタクト１４、１６は行方向（Ｘ１−Ｘ２方向）に並んでいる。各グランドコンタクト１８は、水平板部１８−１と垂直板部１８−２とから構成され、対応する信号コンタクト対１２のＹ１側とＸ２側を覆っている。各水平板部１８−１はハウジング８の裏側まで延在しており、端子部となっている。
【０００５】
ジャックコネクタ３は、図１、図２に示すように、絶縁性ハウジング７と、複数のモジュール８と、複数のグランド板（シールド板）９とを備える。絶縁性ハウジング７は、プラグコネクタ２の信号コンタクト１４、１６に対応する開口７４、７６と、プラグコネクタ２のグランドコンタクト１８に対応する逆Ｌ字状のスリット７８とを備える。複数のモジュール８は、列方向（Ｙ１−Ｙ２方向）に並設される。各モジュール８は４つの信号コンタクト対２２を備え、４つの信号コンタクト対２２は行方向（Ｘ１−Ｘ２方向）に並んでいる。各信号コンタクト対２２は正負対称波形の信号を伝えるための信号コンタクト２４、２６から構成され、その信号コンタクト２４、２６は行方向（Ｘ１−Ｘ２方向）に並んでいる。隣り合うモジュール８の間には、複数のグランド板９が１つずつ配置される。
【０００６】
図３は、プラグコネクタ２とジャックコネクタ３との電気的接続部分を概略的に示す断面図である。プラグコネクタ２とジャックコネクタ３とは、ハウジング７がハウジング６に嵌合され、信号コンタクト１４、１６が開口７４、７６からハウジング６の内部に挿入され信号コンタクト２４、２６と接触されることによって、電気的に接続される。このとき、グランドコンタクト１８がスリット７８からハウジング６の内部に挿入され、垂直板部１８−２が一方の信号コンタクト対１２と他方の信号コンタクト対２２との電気的接続部分のＹ１側に配置され、水平板部１８−１が電気的接続部分のＸ２側に配置される。
【０００７】
この構成によれば、プラグコネクタ２とジャックコネクタ３との接続部分において、隣り合う信号対の間にグランドコンタクト１８又はグランド板９が配置されるので、隣り合う信号の間のクロストークを抑制することができ、信号を高速で伝送することができる。
【特許文献１】特開平５−２７５１３９号公報
【発明の開示】
【発明が解決しようとする課題】
【０００８】
しかしながら、特許文献１記載の構成では、プラグコネクタ２とジャックコネクタ３とを接続した場合に、グランドコンタクト１８とグランド板９とが互いに接触されないので、グランドコンタクト１８の先端側（Ｚ１側）やグランド板９の先端側（Ｚ２側）が伝送経路の行き止まりの部分（スタブ）となる。従って、高周波信号に対するグランドとしての効果が弱く、グランド電位の変動などの問題が生じることがある。
【０００９】
本発明は、上記課題に鑑みてなされたものであって、高周波信号に対するグランドとしての効果を高めることができるコネクタを提供することを目的とする。
【課題を解決するための手段】
【００１０】
前記目的を達成するため、本発明は、相手コネクタに嵌合して接続されるコネクタにおいて、
行方向に延びるグランド板と、
行方向に並び前記相手コネクタが有する複数の信号コンタクトの各々とそれぞれ接触可能な複数の信号コンタクトと、
行方向に並び前記相手コネクタが有する複数のグランドコンタクトの各々とそれぞれ接触可能な複数のグランドコンタクトとを備え、
前記グランド板と前記複数のグランドコンタクトとは、一の金属板を加工して一体に形成され、
前記グランド板の前記相手コネクタ側と、前記複数のグランドコンタクトの各々の前記相手コネクタ側とが接続され導通される。
【発明の効果】
【００１１】
本発明によれば、高周波信号に対するグランドとしての効果を高めることができるコネクタを得ることができる。
【発明を実施するための最良の形態】
【００１２】
以下、図面を参照して、本発明を実施するための最良の形態の説明を行う。実施例の各図において、Ｘ１−Ｘ２は行方向、Ｙ１−Ｙ２は列方向、Ｚ１−Ｚ２はプラグコネクタ２Ａとジャックコネクタ３Ａとの接続方向を示す。Ｘ１−Ｘ２方向、Ｙ１−Ｙ２方向、Ｚ１−Ｚ２方向は互いに直交する。尚、実施例の各図において、図１〜図３に示す構成と対応する構成には添え字を付した同一の符号を付す。尚、各実施例の説明において、同一の構成については、同一の符号を付して説明を省略する。
【実施例１】
【００１３】
図４は、本発明の実施例１のコネクタ２Ａと相手コネクタ３Ａとを併せて示す斜視図である。コネクタ２Ａの絶縁性ハウジング６Ａ内には、複数のコンタクト１４Ａ、１６Ａ、１８Ａが行方向（Ｘ１−Ｘ２方向）及び列方向（Ｙ１−Ｙ２方向）に並設される。相手コネクタ３Ａの絶縁性ハウジング（図示せず）には、コネクタ２Ａの複数のコンタクト１４Ａ、１６Ａ、１８Ａに対応する複数の開口部（図示せず）が形成してあり、内部には、複数のコンタクト２４Ａ、２６Ａ、２８Ａが行方向（Ｘ１−Ｘ２方向）及び列方向（Ｙ１−Ｙ２方向）に並設される。コネクタ２Ａと相手コネクタ３Ａとは、コネクタ２Ａの各コンタクト１４Ａ、１６Ａ、１８Ａが対応する開口部から相手コネクタ３Ａの内部に挿入されて相手コネクタ３Ａの対応する各コンタクト２４Ａ、２６Ａ、２８Ａと接触されることによって、電気的に接続される。以下、コネクタ２Ａの各構成について詳説する。
【００１４】
絶縁性ハウジング６Ａは、有底筒状であり、絶縁性ハウジング６Ａの底壁６２Ａの内面６４Ａには、行方向（Ｘ１−Ｘ２方向）に延び列方向（Ｙ１−Ｙ２方向）に並ぶ複数の突出部３０Ａが設けられる。複数の突出部３０Ａは、絶縁性ハウジング６Ａと一体に形成されてもよいし、絶縁性ハウジング６Ａと別部品として形成され絶縁性ハウジング６Ａに取り付けられてもよい。突出部３０Ａは、絶縁性を有する。
【００１５】
図５は、突出部３０Ａの構成を示す図であり、（Ａ）は正面図、（Ｂ）は（Ａ）のＡ−Ａ線に沿った断面図、（Ｃ）は（Ａ）のＢ−Ｂ線に沿った断面図、（Ｄ）は（Ａ）のＣ−Ｃ線に沿った断面図である。図６は、コンタクト１４Ａ、１６Ａ、１８Ａの取付状態を示す図であり、（Ａ）〜（Ｄ）は、それぞれ、図５（Ａ）〜（Ｄ）に対応する図である。
【００１６】
突出部３０Ａの一面（Ｙ１側面）３２Ａには、複数の信号コンタクト１４Ａ、１６Ａの各々がそれぞれ圧入固定される複数の信号用溝３４Ａ、３６Ａが行方向（Ｘ１−Ｘ２方向）に並設される。また、突出部３０Ａの一面（Ｙ１側面）には、複数のグランドコンタクト１８Ａの各々がそれぞれ圧入固定される複数のグランド用溝３８Ａが行方向（Ｘ１−Ｘ２方向）に並設される。一対の信号用溝３４Ａ、３６Ａとグランド用溝３８Ａとは行方向（Ｘ１−Ｘ２方向）に交互に並んでいる。
【００１７】
図７は、コネクタ２Ａの繰り返し単位を示す斜視図である。コネクタ２Ａは、行方向（Ｘ１−Ｘ２方向）に延びるグランド板（シールド板）４０Ａと、行方向（Ｘ１−Ｘ２方向）に並び相手コネクタ３Ａの複数の信号コンタクト２４Ａ、２６Ａの各々とそれぞれ接触可能な複数の信号コンタクト１４Ａ、１６Ａと、行方向（Ｘ１−Ｘ２方向）に並び相手コネクタ３Ａの複数のグランドコンタクト２８Ａの各々とそれぞれ接触可能な複数のグランドコンタクト１８Ａとを繰り返し単位として、該繰り返し単位を列方向（Ｙ１−Ｙ２方向）に複数備える。
【００１８】
繰り返し単位において、行方向（Ｘ１−Ｘ２方向）に隣り合う一対の信号コンタクト１４Ａ、１６Ａは、正負対称波形の信号を伝送する信号コンタクト対１２Ａを構成する。複数のグランドコンタクト１８Ａは、隣り合う信号コンタクト対１２Ａの間に１つずつ配置され、信号コンタクト対１２Ａ毎にＸ１側（又は、Ｘ２側）に１つずつ配置される。即ち、信号コンタクト対１２Ａとグランドコンタクト１８Ａとは行方向（Ｘ１−Ｘ２方向）に交互に並んでいる。
【００１９】
複数の信号コンタクト１４Ａ、１６Ａの各々は、図６に示すように、複数の信号用溝３４Ａ、３６Ａの各々に圧入固定され、絶縁性ハウジング６Ａの底壁６２Ａの裏側（Ｚ２側）まで延びて端子部となっている。端子部は、外部基板（バックプレーン）のスルーホールに圧入固定可能な形状であってもよいし、外部基板に表面実装可能な形状であってもよく、端子部の形状に制限はない。
【００２０】
複数のグランドコンタクト１８Ａの各々は、図６に示すように、複数のグランド用溝３８Ａの各々に圧入固定され、信号コンタクト１４Ａ、１６Ａよりも相手コネクタ３Ａ側（Ｚ１側）に突出される。これにより、コネクタ２Ａと相手コネクタ３Ａとを接続する際に、グランドコンタクト１８Ａを信号コンタクト１４Ａ、１６Ａより先に相手コンタクトと接触させることができる。その結果、静電気を先に放電することができ、機器システムを保護することができる。
【００２１】
複数のグランド板４０Ａの各々は、図６に示すように、複数の突出部３０Ａの各々の背面（Ｙ２側面）に面接触され、絶縁性ハウジング６Ａの底壁６２Ａの裏側（Ｚ２側）まで延びて端子部となっている。端子部は、外部基板のスルーホールに圧入固定可能な形状であってもよいし、外部基板に表面実装可能な形状であってもよく、端子部の形状に制限はない。
【００２２】
繰り返し単位において、グランド板４０Ａと複数のグランドコンタクト１８Ａとは、一の金属板を加工して一体に形成され、グランド板４０Ａの相手コネクタ３Ａ側（Ｚ１側）と複数のグランドコンタクト１８Ａの各々の相手コネクタ３Ａ側（Ｚ１側）とが接続され導通される。
【００２３】
図７に示す例では、グランド板４０Ａと複数のグランドコンタクト１８Ａとは、一の金属板を櫛状に打ち抜き加工した上で櫛歯部分をＵ字状に折り返して一体に形成される。金属板の複数の折り返し片の各々が、複数のグランドコンタクト１８Ａの各々を構成する。このように、グランド板４０Ａと複数のグランドコンタクト１８Ａとが一体に形成されるので、部品点数を削減することができる。
【００２４】
図８は、グランド板４０Ａとグランドコンタクト１８Ａとの伝送経路を示す断面図である。図８において、矢印Ｆ１は伝送経路を示す。グランド板４０Ａの相手コネクタ３Ａ側（Ｚ１側）と複数のグランドコンタクト１８Ａの各々の相手コネクタ３Ａ側（Ｚ１側）とが接続され導通されるので、伝送経路Ｆ１の行き止まりの部分（スタブ）を狭めることができる。これにより、高速伝送においても、グランド電位の変動などを抑制することができ、高周波信号に対するグランドとしての効果を高めることができる。
【００２５】
この効果は、グランドコンタクト１８Ａが信号コンタクト１４Ａ、１６Ａと比較して相手コネクタ３Ａ側（Ｚ１側）に突出する形状である場合に特に顕著に得られる。
【００２６】
次に、コネクタ２Ａと相手コネクタ３Ａとの接続部分について図９を参照して説明する。図９は、コネクタ２Ａと相手コネクタ３Ａとの接続部分を概略的に示す断面図である。コネクタ２Ａと相手コネクタ３Ａとは、信号コンタクト１４Ａと相手信号コンタクト２４Ａとが接触され、信号コンタクト１６Ａと相手信号コンタクト２６Ａとが接触され、グランドコンタクト１８Ａと相手グランドコンタクト２８Ａとが接触されることによって、電気的に接続される。
【００２７】
このとき、隣り合う信号対（信号コンタクト対１２Ａと相手信号コンタクト対２２Ａとの電気的接続部分）の間には、グランドコンタクト１８Ａ、２８Ａやグランド板４０Ａが配置される。これにより、隣り合う信号対の間のクロストークを抑制することができ、信号を高速で伝送することができる。
【実施例２】
【００２８】
本発明の実施例２のコネクタ２Ｂは、図４に示すコネクタ２Ａと比較して、図７に示すグランドコンタクト１８Ａの代わりに、図１０に示すグランドコンタクト１８Ｂを備える。
【００２９】
図１０は、コネクタ２Ｂの繰り返し単位を示す斜視図である。繰り返し単位において、グランドコンタクト１８Ｂは、グランドコンタクト１８Ａと同様に、一の金属板を櫛状に打ち抜き加工した上で櫛歯部分をＵ字状に折り返してグランド板４０Ａと一体に形成される。このため、部品点数を削減することができる。
【００３０】
グランドコンタクト１８Ｂは、グランドコンタクト１８Ａと比較して、Ｕ字状部分がグランド用溝３８Ａから離間するように折り返され、先端部１８２Ｂがグランド用溝３８Ａに圧入固定されるようにＹ２方向に曲げられてＺ２方向に斜めに延びている。
【００３１】
先端部１８２Ｂは、相手グランドコンタクト２８Ａと面接触可能な接点部１８２Ｂを構成し、相手グランドコンタクト２８Ａの弾性変形可能なＶ字状先端と面接触可能な傾斜面を備える。グランドコンタクト１８Ｂと相手グランドコンタクト２８Ａとが面接触されるので、接触不良を防止することができる。これにより、高周波信号に対するグランドとしての効果を高めることができる。
【００３２】
複数の接点部１８２Ｂは、隣り合う信号コンタクト対１２Ａの間に１つずつ配置され、信号コンタクト対１２Ａ毎にＸ１側（又は、Ｘ２側）に１つずつ配置される。即ち、信号コンタクト対１２Ａと接点部１８２Ｂとは行方向（Ｘ１−Ｘ２方向）に交互に並んでいる。
【００３３】
図１１は、グランド板４０Ａとグランドコンタクト１８Ｂとの伝送経路を示す断面図である。図１１において、矢印Ｆ２は伝送経路を示す。グランド板４０Ａの相手コネクタ３Ａ側（Ｚ１側）と複数のグランドコンタクト１８Ｂの各々の相手コネクタ３Ａ側（Ｚ１側）とが接続され導通されるので、伝送経路Ｆ２の行き止まりの部分（スタブ）を狭めることができる。これにより、高速伝送においても、グランド電位の変動などを抑制することができ、高周波信号に対するグランドとしての効果を高めることができる。
【実施例３】
【００３４】
本発明の実施例３のコネクタ２Ｃは、図４に示すコネクタ２Ａと比較して、図５に示す突出部３０Ａの代わりに、図１２に示す突出部３０Ｃを備える。
【００３５】
図１２は、突出部３０Ｃの構成を示す図であり、（Ａ）は正面図、（Ｂ）は（Ａ）のＡ−Ａ線に沿った断面図、（Ｃ）は（Ａ）のＢ−Ｂ線に沿った断面図、（Ｄ）は（Ａ）のＣ−Ｃ線に沿った断面図である。図１３は、コンタクト１４Ａ、１６Ａ、１８Ｃの取付状態を示す図であり、（Ａ）〜（Ｄ）は、それぞれ、図１２（Ａ）〜（Ｄ）に対応する図である。
【００３６】
突出部３０Ｃは、図５に示す突出部３０Ａと比較して、グランド用溝３８Ａの代わりに、グランド用スリット３８Ｃを備える。グランド用スリット３８Ｃは、突出部３０ＣのＺ１側からＺ２方向に切り込まれて突出部３０Ｃの途中まで至るように形成され、行方向（Ｘ１−Ｘ２方向）に並設される。複数のグランド用スリット３８Ｃの各々には、複数のグランドコンタクト１８Ｃの各々が圧入固定される。
【００３７】
また、コネクタ２Ｃは、図４に示すコネクタ２Ａと比較して、図７に示すグランド板４０Ａ及びグランドコンタクト１８Ａの代わりに、図１４に示すグランド板４０Ｃ及びグランドコンタクト１８Ｃを備える。
【００３８】
図１４は、コネクタ２Ｃの繰り返し単位を示す斜視図である。繰り返し単位において、グランド板４０Ｃと複数のグランドコンタクト１８Ｃとは、一の金属板の一部を帯状に切り起こして一体に形成される。複数の切り起こし片の各々が、複数のグランドコンタクト１８Ｃの各々を構成する。このため、部品点数を削減することができる。
【００３９】
図１４に示す例では、グランドコンタクト１８Ｃは、延在方向（Ｚ１−Ｚ２方向）両端がグランド板４０Ｃに一体に接続されており、延在方向中間がＹ１方向に突き出すようにコの字状に塑性変形されて形成される。
【００４０】
図１５は、グランド板４０Ｃとグランドコンタクト１８Ｃとの伝送経路を示す断面図である。図１５において、矢印Ｆ３は伝送経路を示す。グランド板４０Ｃの相手コネクタ３Ａ側（Ｚ１側）と複数のグランドコンタクト１８Ｃの各々の相手コネクタ３Ａ側（Ｚ１側）とが接続され導通され、且つ、グランドコンタクト１８Ｃの延在方向（Ｚ１−Ｚ２方向）両端がグランド板４０Ｃに接続され導通されるので、伝送経路Ｆ３の行き止まりの部分（スタブ）を無くすことができる。また、相手コネクタ３Ａと外部基板（バックプレーン）との間の最短伝送経路の伝送方向を順方向に（一方向に）することができる。これにより、高速伝送においても、グランド電位の変動などを抑制することができ、高周波信号に対するグランドとしての効果を高めることができる。
【実施例４】
【００４１】
本発明の実施例４のコネクタ２Ｄは、図４に示すコネクタ２Ａと比較して、図５に示す突出部３０Ａの代わりに、図１２に示す突出部３０Ｃを備える。また、コネクタ２Ｄは、図４に示すコネクタ２Ａと比較して、図７に示すグランド板４０Ａ及びグランドコンタクト１８Ａの代わりに、図１６に示すグランド板４０Ｄ及びグランドコンタクト１８Ｄを備える。
【００４２】
図１６は、コネクタ２Ｄの繰り返し単位を示す斜視図である。繰り返し単位において、グランド板４０Ｄと複数のグランドコンタクト１８Ｄとは、一の金属板を櫛状に打ち抜き加工した上で金属板の櫛歯部分を帯状に切り起こして一体に形成される。複数の切り起こし片の各々が、複数のグランドコンタクト１８Ｄの各々を構成する。このため、部品点数を削減することができる。
【００４３】
図１６に示す例では、グランドコンタクト１８Ｄは、基端部（Ｚ２側端部）１８２Ｄがグランド板４０ＤからＹ１方向に切り起こされＺ１方向に斜めに延び、先端部１８４Ｄ（Ｚ１側端部）が切り起こし方向（Ｙ１方向）とは反対向き（Ｙ２方向）にＵ字状に折り返されている。
【００４４】
先端部１８４ＤはＸ１−Ｘ２方向両端面に突起部を備え、突起部がグランド板４０Ｄの相手コネクタ３Ａ側（Ｚ１側）の背面（Ｙ２側面）に接触されている。
【００４５】
基端部１８２Ｄは、相手グランドコンタクト２８Ａと面接触可能な接点部１８２Ｄを構成し、相手グランドコンタクト２８Ａの弾性変形可能なＶ字状先端と面接触可能な傾斜面を備える。グランドコンタクト１８Ｄと相手グランドコンタクト２８Ａとが面接触されるので、接触不良を防止することができる。これにより、高周波信号に対するグランドとしての効果を高めることができる。
【００４６】
複数の接点部１８２Ｄは、隣り合う信号コンタクト対１２Ａの間に１つずつ配置され、信号コンタクト対１２Ａ毎にＸ１側（又は、Ｘ２側）に１つずつ配置される。即ち、信号コンタクト対１２Ａと接点部１８２Ｄとは行方向（Ｘ１−Ｘ２方向）に交互に並んでいる。
【００４７】
図１７は、グランド板４０Ｄとグランドコンタクト１８Ｄとの伝送経路を示す断面図である。図１７において、矢印Ｆ４は伝送経路を示す。グランド板４０Ｄの相手コネクタ３Ａ側（Ｚ１側）と複数のグランドコンタクト１８Ｄの各々の相手コネクタ３Ａ側（Ｚ１側）とが接続され導通され、且つ、グランドコンタクト１８Ｄの延在方向（Ｚ１−Ｚ２方向）両端がグランド板４０Ｄに接続され導通されるので、伝送経路Ｆ４の行き止まりの部分（スタブ）を無くすことができる。また、相手コネクタ３Ａと外部基板（バックプレーン）との間の最短伝送経路の伝送方向を順方向に（一方向に）することができる。これにより、高速伝送においても、グランド電位の変動などを抑制することができ、高周波信号に対するグランドとしての効果を高めることができる。
【００４８】
以上説明したように、実施例１〜実施例４の構成によれば、グランド板４０Ａ（４０Ｃ、４０Ｄ）の相手コネクタ３Ａ側（Ｚ１側）と複数のグランドコンタクト１８Ａ（１８Ｂ、１８Ｃ、１８Ｄ）の各々の相手コネクタ３Ａ側（Ｚ１側）とが接続され導通されるので、伝送経路Ｆ１（Ｆ２、Ｆ３、Ｆ４）の行き止まりの部分（スタブ）を狭めることができる。これにより、高速伝送においても、グランド電位の変動などを抑制することができ、高周波信号に対するグランドとしての効果を高めることができる。
【００４９】
また、実施例２及び実施例４の構成によれば、グランドコンタクト１８Ｂ（１８Ｄ）は、相手グランドコンタクト２８Ａと面接触可能な接点部１８２Ｂ（１８２Ｄ）を備えるので、接触不良を防止することができる。これにより、高周波信号に対するグランドとしての効果を高めることができる。
【００５０】
また、実施例３及び実施例４の構成によれば、グランド板４０Ｃ（４０Ｄ）の相手コネクタ３Ａ側（Ｚ１側）と複数のグランドコンタクト１８Ｃ（１８Ｄ）の各々の相手コネクタ３Ａ側（Ｚ１側）とが接続され導通され、且つ、グランドコンタクト１８Ｃ（１８Ｄ）の延在方向（Ｚ１−Ｚ２方向）両端がグランド板４０Ｃ（４０Ｄ）に接続され導通されるので、伝送経路Ｆ３（Ｆ４）の行き止まりの部分（スタブ）を無くすことができる。また、相手コネクタ３Ａと外部基板（バックプレーン）との間の最短伝送経路の伝送方向を順方向に（一方向に）することができる。これにより、高速伝送においても、グランド電位の変動などを抑制することができ、高周波信号に対するグランドとしての効果を高めることができる。
【００５１】
以上、本発明の好ましい実施例について詳説したが、本発明は、上述した実施例に制限されることはなく、本発明の範囲を逸脱することなく、上述した実施例に種々の変形及び置換を加えることができる。
【００５２】
例えば、上述した実施例１〜実施例４では、図６や図１３に示したように、信号コンタクト１４Ａ、１６Ａは、突出部３０Ａ（３０Ｃ）に圧入固定される構成としたが、絶縁性ハウジング８Ａ（８Ｃ）の底壁６２Ａを厚さ方向（Ｚ１−Ｚ２方向）に貫通する貫通孔に圧入固定される構成としてもよく、この場合、突出部３０Ａ（３０Ｃ）が不要である。
【図面の簡単な説明】
【００５３】
【図１】従来の平衡伝送用コネクタ装置を概略的に示す斜視図である。
【図２】プラグコネクタ２とジャックコネクタ３との対向する面の構造を概略的に示す図である。
【図３】プラグコネクタ２とジャックコネクタ３との電気的接続部分を概略的に示す断面図である。
【図４】本発明の実施例１のコネクタ２Ａと相手コネクタ３Ａとを併せて示す斜視図である。
【図５】突出部３０Ａの構成を示す図である。
【図６】コンタクト１４Ａ、１６Ａ、１８Ａの取付状態を示す図である。
【図７】コネクタ２Ａの繰り返し単位を示す斜視図である。
【図８】グランド板４０Ａとグランドコンタクト１８Ａとの伝送経路を示す断面図である。
【図９】コネクタ２Ａと相手コネクタ３Ａとの接続部分を概略的に示す断面図である。
【図１０】コネクタ２Ｂの繰り返し単位を示す斜視図である。
【図１１】グランド板４０Ａとグランドコンタクト１８Ｂとの伝送経路を示す断面図である。
【図１２】突出部３０Ｃの構成を示す図である。
【図１３】コンタクト１４Ａ、１６Ａ、１８Ｃの取付状態を示す図である。
【図１４】コネクタ２Ｃの繰り返し単位を示す斜視図である。
【図１５】グランド板４０Ｃとグランドコンタクト１８Ｃとの伝送経路を示す断面図である。
【図１６】コネクタ２Ｄの繰り返し単位を示す斜視図である。
【図１７】グランド板４０Ｄとグランドコンタクト１８Ｄとの伝送経路を示す断面図である。
【符号の説明】
【００５４】
２Ａ、２Ｂ、２Ｃ、２Ｄ    コネクタ
３Ａ    相手コネクタ
１４Ａ、１６Ａ    信号コンタクト
１８Ａ、１８Ｂ、１８Ｃ、１８Ｄ    グランドコンタクト
２４Ａ、２６Ａ    相手信号コンタクト
２８Ａ    相手グランドコンタクト
４０Ａ、４０Ｃ、４０Ｄ    グランド板
１８２Ｂ、１８２Ｄ    接点部
【図１】
2010198966.tif 000003
【図２】
2010198966.tif 000004
【図３】
2010198966.tif 000005
【図４】
2010198966.tif 000006
【図５】
2010198966.tif 000007
【図６】
2010198966.tif 000008
【図７】
2010198966.tif 000009
【図８】
2010198966.tif 000010
【図９】
2010198966.tif 000011
【図１０】
2010198966.tif 000012
【図１１】
2010198966.tif 000013
【図１２】
2010198966.tif 000014
【図１３】
2010198966.tif 000015
【図１４】
2010198966.tif 000016
【図１５】
2010198966.tif 000017
【図１６】
2010198966.tif 000018
【図１７】
2010198966.tif 000019